(57)【要約】【課題】  より精度の高い掲載商品リストを作成することができ、また、製版の後の校正段階での修正を少なくすることが可能な簡易紙面作成装置及び方法、並びに簡易紙面作成処理プログラム及び記録媒体を提供する。【解決手段】  複数種類の商品についての商品情報を広告する広告印刷物に掲載すべき前記商品情報に係る商品データと、複数に区分された領域を有する紙面画像に係る紙面画像データと、を記憶するデータ記憶手段と、前記商品データに基づいて前記商品情報の全部又は一部を表示させる商品情報表示手段と、前記紙面画像データに基づいて前記紙面画像を表示させる紙面画像表示手段と、前記表示された商品情報の選択を受け付ける商品情報選択受付手段と、前記表示された紙面画像上における何れかの領域の指定を受け付ける領域指定受付手段と、前記選択された商品情報の全部又は一部を前記指定された領域に配置して簡易紙面画像データを作成する簡易紙面作成手段と、を備える。【選択図】  図１４
2005092563.tif 000002
【特許請求の範囲】
【請求項１】
複数種類の商品についての商品情報を広告する広告印刷物に掲載すべき前記商品情報に係る商品データと、複数に区分された領域を有する紙面画像に係る紙面画像データと、を記憶するデータ記憶手段と、
前記商品データに基づいて前記商品情報の全部又は一部を表示させる商品情報表示手段と、
前記紙面画像データに基づいて前記紙面画像を表示させる紙面画像表示手段と、
前記表示された商品情報の選択を受け付ける商品情報選択受付手段と、
前記表示された紙面画像上における何れかの領域の指定を受け付ける領域指定受付手段と、
前記選択された商品情報の全部又は一部を前記指定された領域に配置して簡易紙面画像データを作成する簡易紙面作成手段と、を備えることを特徴とする簡易紙面作成装置。
【請求項２】
請求項１に記載の簡易紙面作成装置において、
前記簡易紙面作成手段は、前記選択された商品情報の全部又は一部が前記広告印刷物に掲載された場合と同一の表示状態になるように、当該選択された商品情報を前記指定された領域に配置して簡易紙面画像データを作成することを特徴とする簡易紙面作成装置。
【請求項３】
請求項１又は２に記載の簡易紙面作成装置において、
前記商品情報と前記紙面画像とは、同一画面上に表示されることを特徴とする簡易紙面作成装置。
【請求項４】
請求項３に記載の簡易紙面作成装置において、
前記簡易紙面作成手段は、前記選択された商品情報を前記同一画面上で前記指定された領域まで移動表示させて配置することを特徴とする簡易紙面作成装置。
【請求項５】
請求項１乃至４の何れか一項に記載の簡易紙面作成装置において、
前記領域に配置された商品情報に係る商品データに、当該領域の前記紙面画像上における位置情報を対応付けて前記データ記憶手段に記憶させる位置情報記憶手段を更に備えることを特徴とする簡易紙面作成装置。
【請求項６】
請求項１乃至５の何れか一項に記載の簡易紙面作成装置において、
前記商品情報表示手段は、前記商品情報を当該商品毎に対応付けてリスト形式で表示することを特徴とする簡易紙面作成装置。
【請求項７】
請求項５に記載の簡易紙面作成装置において、
前記商品情報表示手段は、前記商品情報及び前記位置情報を当該商品毎に対応付けてリスト形式で表示することを特徴とする簡易紙面作成装置。
【請求項８】
請求項１乃至７の何れか一項に記載の簡易紙面作成装置において、
前記紙面画像上における各前記領域には、前記商品情報の表示形式が付与されており、
前記簡易紙面作成手段は、前記商品情報の表示形式に従って前記商品情報を前記指定された領域に配置して表示させることを特徴とする簡易紙面作成装置。
【請求項９】
通信ネットワークを介して端末装置が接続可能な請求項１乃至７の何れか一項に記載の簡易紙面作成装置において、
前記商品情報表示手段は、前記通信ネットワークを介して、前記商品情報を前記端末装置の表示画面上に表示させ、
前記紙面画像表示手段は、前記通信ネットワークを介して、前記紙面画像を前記端末装置の表示画面上に表示させ、
前記商品情報選択受付手段は、前記通信ネットワークを介して、前記商品情報の選択を受け付け、
前記領域指定受付手段は、前記通信ネットワークを介して、前記紙面画像上における何れかの領域の指定を受け付け、
前記簡易紙面作成手段は、前記通信ネットワークを介して、前記商品情報を前記端末装置の表示画面上における前記指定された領域に配置して簡易紙面画像データを作成することを特徴とする簡易紙面作成装置。
【請求項１０】
通信ネットワークを介して端末装置が接続可能な簡易紙面作成装置において、
複数種類の商品についての商品情報を広告する広告印刷物に掲載すべき前記商品情報に係る商品データを記憶するための商品データベースと、
複数に区分された領域を有する紙面画像に係る紙面画像データを記憶している紙面画像データベースと、
前記端末装置からの指示に従って、前記商品情報を前記商品データベースに変更可能に登録する商品情報登録手段と、
前記商品データに基づいて、前記商品情報のリストを前記端末装置上に表示させる商品情報表示手段と、
前記紙面画像データに基づいて前記紙面画像を前記端末装置上に表示させる紙面画像表示手段と、
前記表示されたリスト上における商品情報の選択を受け付ける商品情報選択受付手段と、
前記表示された紙面画像上における何れかの領域の指定を受け付ける領域指定受付手段と、
前記選択された商品情報の全部又は一部を前記指定された領域に配置して簡易紙面画像データを作成し、当該簡易紙面画像を端末装置上に表示させる簡易紙面作成手段と、を備えることを特徴とする簡易紙面作成装置。
【請求項１１】
コンピュータを、請求項１乃至１０の何れか一項に記載の簡易紙面作成装置として機能させることを特徴とする簡易紙面作成処理プログラム。
【請求項１２】
請求項１１に記載の簡易紙面作成処理プログラムがコンピュータ読み取り可能に記録されたことを特徴とする記録媒体。
【請求項１３】
通信ネットワークを介して端末装置が接続された簡易紙面作成装置における簡易紙面作成方法において、
複数種類の商品についての商品情報を広告する広告印刷物に掲載すべき前記商品情報に係る商品データに基づいて前記商品情報の全部又は一部を前記端末装置に表示させる工程と、
複数に区分された領域を有する紙面画像に係る紙面画像データに基づいて前記紙面画像を前記端末装置の表示画面上に表示させる工程と、
前記端末装置に表示された商品情報の選択を受け付ける工程と、
前記端末装置に表示された紙面画像上における何れかの領域の指定を受け付ける工程と、
前記選択された商品情報の全部又は一部を前記指定された領域に配置して簡易紙面画像データを作成する工程と、を備えることを特徴とする簡易紙面作成方法。
【発明の詳細な説明】
【技術分野】
【０００１】
本発明は、広告印刷物に掲載する商品情報の位置を決定するシステム及び方法等の技術分野に関する。
【背景技術】
【０００２】
商品の流通小売業者にとって、商品情報を掲載した販促チラシ等の広告印刷物の発行は、販売促進を行う上で非常に重要である。一般に、流通小売業者が広告印刷物を作成する場合、その流通小売業者は、メーカなどの商品供給業者から商品情報を入手し、その商品情報（商品の画像を含む）を例えばコンピュータにおける記憶部に構築されたデータベースに登録して広告印刷物に掲載する商品リスト（以下、「掲載商品リスト」という）を作成する。また、流通小売業者は、登録された商品情報を広告印刷物の紙面上のどの領域に配置する（割り付ける）かを示す面割指示（例えば、１頁分の紙面が４つの領域に分割されている場合、各領域ごとに、それぞれ割り付けるべき文字列若しくは商品名が指定）を作成し、その面割指示と共に掲載商品リストを印刷業者に与えていた。印刷業者では、その面割指示及び掲載商品リストに基づき、例えば公知のＤＴＰ（Desk Top Publishing）システムを用いて広告印刷物を製版し、製版後、流通小売業者に送り、流通小売業者は校正を行なっていた。
【０００３】
このような流通小売業者と印刷業者等との間の情報のやり取りをネットワークを介して行うようにし、効率的に広告印刷物を作成することが可能なシステムが特許文献１に開示されている。このシステムでは、印刷業者によって製版された広告印刷物の画像が印刷業者のシステムに格納され、それを流通小売業者のシステムからもネットワークを介して閲覧可能にしているので、流通小売業者は、校正処理を効率的に行うことができる。
【特許文献１】特開平１１−１９５０２３号公報
【発明の開示】
【発明が解決しようとする課題】
【０００４】
しかしながら、このような従来のシステムにおいては、流通小売業者から印刷業者には、商品情報が掲載された実際の広告印刷物の紙面ではなく、上記面割指示と掲載商品リストが渡されるので、印刷業者は、商品情報が実際に配置された紙面イメージを製版前に閲覧することができない。従って、製版の後の校正段階での修正が多くなってしまうという問題があった。
【０００５】
また、流通小売業者にとっても、上記紙面イメージを確認しながら面割を検討できないので、精度の高い掲載商品リストを作成できない場合があるという問題があった。
【０００６】
本発明は、以上の問題に鑑みてなされたものであり、より精度の高い掲載商品リストを作成することができ、また、製版の後の校正段階での修正を少なくすることが可能な簡易紙面作成装置及び方法、並びに簡易紙面作成処理プログラム及び記録媒体を提供することを課題とする。
【課題を解決するための手段】
【０００７】
上記課題を解決するために、１つの観点における本発明に係る簡易紙面作成装置は、複数種類の商品についての商品情報を広告する広告印刷物に掲載すべき前記商品情報に係る商品データと、複数に区分された領域を有する紙面画像に係る紙面画像データと、を記憶するデータ記憶手段と、前記商品データに基づいて前記商品情報の全部又は一部を表示させる商品情報表示手段と、前記紙面画像データに基づいて前記紙面画像を表示させる紙面画像表示手段と、前記表示された商品情報の選択を受け付ける商品情報選択受付手段と、前記表示された紙面画像上における何れかの領域の指定を受け付ける領域指定受付手段と、前記選択された商品情報の全部又は一部を前記指定された領域に配置して簡易紙面画像データを作成する簡易紙面作成手段と、を備えることを特徴とする。
【０００８】
ここで、この広告印刷物には、例えばチラシ、カタログ、パンフレット等が該当する。
【０００９】
また、上記簡易紙面作成装置において、前記簡易紙面作成手段は、前記選択された商品情報の全部又は一部が前記広告印刷物に掲載された場合と同一の表示状態になるように、当該選択された商品情報を前記指定された領域に配置して簡易紙面画像データを作成することを特徴とする。
【００１０】
また、上記簡易紙面作成装置において、前記商品情報と前記紙面画像とは、同一画面上に表示されることを特徴とする。
【００１１】
また、上記簡易紙面作成装置において、前記簡易紙面作成手段は、前記選択された商品情報を前記同一画面上で前記指定された領域まで移動表示させて配置することを特徴とする。
【００１２】
また、上記簡易紙面作成装置において、前記領域に配置された商品情報に係る商品データに、当該領域の前記紙面画像上における位置情報を対応付けて前記データ記憶手段に記憶させる位置情報記憶手段を更に備えることを特徴とする。
【００１３】
また、上記簡易紙面作成装置において、前記商品情報表示手段は、前記商品情報を当該商品毎に対応付けてリスト形式で表示することを特徴とする。
【００１４】
また、上記簡易紙面作成装置において、前記商品情報表示手段は、前記商品情報及び前記位置情報を当該商品毎に対応付けてリスト形式で表示することを特徴とする。
【００１５】
また、上記簡易紙面作成装置において、前記紙面画像上における各前記領域には、前記商品情報の表示形式が付与されており、前記簡易紙面作成手段は、前記商品情報の表示形式に従って前記商品情報を前記指定された領域に配置して表示させることを特徴とする。
【００１６】
また、通信ネットワークを介して端末装置が接続可能な上記簡易紙面作成装置において、前記商品情報表示手段は、前記通信ネットワークを介して、前記商品情報紙面画像を前記端末装置の表示画面上に表示させ、前記紙面画像表示手段は、前記通信ネットワークを介して、前記紙面画像を前記端末装置の表示画面上に表示させ、前記商品情報選択受付手段は、前記通信ネットワークを介して、前記商品情報の選択を受け付け、前記領域指定受付手段は、前記通信ネットワークを介して、前記紙面画像上における何れかの領域の指定を受け付け、前記簡易紙面作成手段は、前記通信ネットワークを介して、前記商品情報を前記端末装置の表示画面上における前記指定された領域に配置して簡易紙面画像データを作成する（例えば、端末装置のブラウザ上で簡易紙面画像データを作成させるように制御することも含む）ことを特徴とする。
【００１７】
また、他の観点における本発明に係る簡易紙面作成装置は、通信ネットワークを介して端末装置が接続可能な簡易紙面作成装置において、複数種類の商品についての商品情報を広告する広告印刷物に掲載すべき前記商品情報に係る商品データを記憶するための商品データベースと、複数に区分された領域を有する紙面画像に係る紙面画像データを記憶している紙面画像データベースと、前記端末装置からの指示に従って、前記商品情報を前記商品データベースに変更可能に登録する商品情報登録手段と、前記商品データに基づいて、前記商品情報のリストを前記端末装置上に表示させる商品情報表示手段と、前記紙面画像データに基づいて前記紙面画像を前記端末装置上に表示させる紙面画像表示手段と、前記表示されたリスト上における商品情報の選択を受け付ける商品情報選択受付手段と、前記表示された紙面画像上における何れかの領域の指定を受け付ける領域指定受付手段と、前記選択された商品情報の全部又は一部を前記指定された領域に配置して簡易紙面画像データを作成し、当該簡易紙面画像を端末装置上に表示させる簡易紙面作成手段と、を備えることを特徴とする簡易紙面作成装置。
【００１８】
また、他の観点における本発明に係る簡易紙面作成処理プログラムは、コンピュータを上記簡易紙面作成装置として機能させることを特徴とする。
【００１９】
また、更に他の観点における本発明に係る簡易紙面作成方法は、通信ネットワークを介して端末装置が接続された簡易紙面作成装置における簡易紙面作成方法において、複数種類の商品についての商品情報を広告する広告印刷物に掲載すべき前記商品情報に係る商品データに基づいて前記商品情報の全部又は一部を前記端末装置に表示させる工程と、複数に区分された領域を有する紙面画像に係る紙面画像データに基づいて前記紙面画像を前記端末装置の表示画面上に表示させる工程と、前記端末装置に表示された商品情報の選択を受け付ける工程と、前記端末装置に表示された紙面画像上における何れかの領域の指定を受け付ける工程と、前記選択された商品情報の全部又は一部を前記指定された領域に配置して簡易紙面画像データを作成する工程と、を備えることを特徴とする。
【発明の効果】
【００２０】
上記発明によれば、商品情報と紙面画像を表示させ、その中から選択された商品情報を上記紙面画像上における指定された領域に配置して簡易紙面画像を作成し、ユーザに提示するように構成したので、ユーザは、実際の広告印刷物における紙面イメージを簡易紙面画像で閲覧することができ、精度の高い掲載商品リストを作成することができる。
【発明を実施するための最良の形態】
【００２１】
以下、図面を参照して本発明の最良の実施形態について詳細に説明する。なお、以下に説明する実施の形態は、簡易紙面作成システムに対して本発明を適用した場合の実施形態である。
【００２２】
［簡易紙面作成システムＳの構成等］
先ず、図１を参照して本発明の一実施形態にかかる簡易紙面作成システムの構成について説明する。
【００２３】
図１は、本実施形態にかかる簡易紙面作成システムのハードウェア構成の一例を示す図である。
【００２４】
図１に示すように、簡易紙面作成システムＳは、簡易紙面作成装置としての簡易紙面作成サーバ１と、例えば流通小売業者の本部に設置される端末装置２と、印刷業者の端末装置３を、を含んで構成されており、それらは、通信ネットワークの一例としてのインターネット４に接続されている。そして、端末装置２及び印刷業者の端末装置３は、インターネット４を介して簡易紙面作成サーバ１に接続し、相互にデータの送受信が可能になっている。
【００２５】
なお、通信ネットワークは、インターネットに限定されるものではなく、例えば専用線により構築されたネットワークであってもよい。また、実際には、本部に複数の端末装置が接続されるが、本実施形態においては、説明の便宜上、１つの端末装置２を示して説明するものとする。また、本実施形態においては、簡易紙面作成サーバ１は、インターネット４上で情報提供サービスを行うＷｅｂサーバとして説明する。
【００２６】
ここで、流通小売業者の本部には、例えば販促（販売促進）部門と商品部門があり、それぞれの部門には、簡易紙面作成サーバ１に接続可能な端末装置２が設置されている。例えば、販促部門は、端末装置２から簡易紙面作成サーバ１に接続して、複数種類の商品についての商品情報を広告する広告印刷物の名称（広告印刷物名）、その広告印刷物に掲載された商品が販売されるセール名、そのセール期間、その広告印刷物のサイズ・種別等の情報（以下、総称して、「広告印刷物情報」という）を、後述する商品データベースに記憶（登録）する。
【００２７】
また、この広告印刷物の紙面には、新聞の折込チラシのように大小様々な複数の領域が設けられており、各領域には各商品の商品情報が配置されるが、販促部門では、かかる広告印刷物の紙面のどの範囲（上記領域が複数含まれる範囲）に何のセール企画（例えば、商品を「健康食品」、「生活雑貨」、「美容」等のコーナーに分けて掲載し、消費者に対し商品を見やすくしたり、興味を引かせるようにして販促効果を高めるためのもの）を割り当て、各セール企画の範囲に掲載すべき商品数及びその商品を選定する担当部署などを決定する。そのようなセール企画の名称（セール企画名）、セール企画数、セール企画が掲載される位置及び範囲、更には商品数及び担当部署等の情報（以下、これを総称して、「セール企画情報という」）もまた、販促部門により端末装置２から後述する商品データベースに上記広告印刷物情報に対応付けられて記憶（登録）される。
【００２８】
一方、商品部門における各担当部署は、端末装置２から簡易紙面作成サーバ１に接続して、上記広告印刷物に掲載する商品情報を選定して後述する商品データベースに記憶（登録）し、更に、その商品情報の追加、修正等を行った後、広告印刷物に掲載する商品情報を確定（掲載商品リストを作成）する。
【００２９】
本実施形態においては、一例として商品部門がより精度の高い掲載商品リストを作成する等のために、簡易紙面作成サーバ１から商品部門に対して提供する簡易紙面作成処理に詳述する。但し、上記セール企画の数、位置及び範囲、更には商品数等の決定に当たって、簡易紙面作成サーバ１から販促部門に対して簡易紙面作成処理を提供するようにしても勿論構わない。
【００３０】
次に、図２を参照して本実施形態にかかる簡易紙面作成サーバ１の構成及び機能について説明する。
【００３１】
図２は、簡易紙面作成サーバ１の概要構成を示す機能ブロック図である。
【００３２】
簡易紙面作成サーバ１は、図２に示すように、制御部１１、記憶部１２、及び通信部１３等を備えたコンピュータにより構成される。なお、これらの構成要素の他にも、オペレータが指示入力を行うための入力部（キーボードやマウス等）や、各種情報を表示する表示部（モニタ等）を備えているが図示を省略している。
【００３３】
制御部１１は、演算機能を有するＣＰＵ、作業用ＲＡＭ、及び各種プログラムやデータを記憶するＲＯＭ等によって構成される。そして、ＣＰＵが例えばＲＯＭ或いは記憶部１２に記憶された簡易紙面作成処理プログラムを実行（簡易紙面作成アプリケーションを起動）することにより、コンピュータが簡易紙面作成サーバ１として機能するようになっている。また、この簡易紙面作成処理プログラムの実行により、制御部１１は、本発明における商品情報登録手段、商品情報表示手段、紙面画像表示手段、商品情報選択受付手段、領域指定受付手段、簡易紙面作成手段、及び位置情報記憶手段として機能するようになっている。これらの各手段についての詳細な説明は、後述する。
【００３４】
なお、簡易紙面作成処理プログラムは、例えばインターネット４上の他のサーバからサーバ１にダウンロードされるようにしてもよいし、ＣＤ−ＲＯＭ等の記録媒体に記録されてＣＤ−ＲＯＭ等のドライブを介してサーバ１に提供されるようにしてもよい。
【００３５】
記憶部１２は、例えばハードディスクドライブ（ＨＤＤ）等のデータ記憶手段からなり、ここには、商品データベース（ＤＢ）１２ａ、基準紙面画像データベース（ＤＢ）１２ｂ、簡易紙面画像データベース（ＤＢ）１２ｃ、及び提示画面データベース（ＤＢ）１２ｄが構築されている。その他にも、本システムＳのユーザ登録データベース等が記憶部１２に構築されているが図示を省略している。
【００３６】
商品データベース１２ａには、上記広告印刷物に掲載される商品情報に係る商品データが、上記広告印刷物情報及びセール企画情報毎に対応付けられて記憶（登録）される。
【００３７】
この商品情報には、広告印刷物の紙面上に配置される文字、画像、イラスト、ロゴ、マーク等の情報が含まれ、例えば、商品コード、商品名、メーカ名、ＪＡＮコード、商品仕様（サイズ、重量、材質、色等）や規格、商品価格（メーカ希望価格、通常価格、売価）、割引率、商品の画像（商品の外観が撮影されたもの）、商品のキャッチコピー、商品の販促情報（「人気商品」、「売れてます」、「推薦商品」、「新商品」等の情報）等が含まれる。
【００３８】
基準紙面画像データベース（ＤＢ）１２ｂには、複数に区分された領域を有する紙面画像に係る紙面画像データが記憶される。この紙面画像は、広告印刷物の紙面における各領域に商品情報が配置される前の画像である。
【００３９】
図３は、紙面画像の一例を示す図である。
【００４０】
図３の例では、紙面画像５０上には、複数に区分された領域Ａ〜Ｏが設けられており、各領域には、紙面画像５０上における当該領域の位置情報（例えば、紙面画像５０上における左上頂点の座標（Ｘ１，Ｙ１）と、右下頂点の座標（Ｘ２，Ｙ２））と、当該領域上における商品情報の位置及び表示形式（文字の場合：フォント、書体、間隔、色等。画像、イラスト及びロゴの場合：大きさや色等）を示す情報と、が領域データとして付与されている。
【００４１】
ここで、「複数に区分」とは、制御部１１が各領域を識別可能に区分という意味であり、必ずしも紙面画像５０上で枠等により視覚的に区分されるというものではない。
【００４２】
図４は、領域Ａにおける商品情報の位置の例を示す図である。
【００４３】
図４の例では、領域Ａの上部の小領域５１には「商品名」が、中央部の小領域５２には「商品の画像」が、下部の小領域５３には「売価」が、それぞれ位置（配置）されるようになっている。
【００４４】
そして、上記領域データに含まれる商品情報の位置を示す情報は、例えば、各小領域の位置情報（例えば、一つの小領域に対し領域Ａ上における左上頂点の座標（Ｖ１，Ｗ１）と、右下頂点の座標（Ｖ２，Ｗ２）が示されている）と、各小領域と商品情報との対応付け（割り付け）を示している。
【００４５】
このような紙面画像データ及び領域データは、例えば本部の販促部門により作成され、広告印刷物情報に対応付けられて基準紙面画像データベース１２ｂに記憶される。
【００４６】
簡易紙面画像データベース１２ｃには、商品情報が紙面画像上における全部又は一部の領域に配置されて作成された簡易紙面画像データが記憶される。更に、作成された簡易紙面画像データは、対応する広告印刷物情報等に対応付けられて管理されるようになっている。紙面画像上における領域への商品情報の配置が確定すると、当該領域の紙面画像上における位置情報が、その領域に配置された商品情報に係る商品データに対応付けられて商品データベース１２ａに記憶されることになる。
【００４７】
提示画面データベース１２ｄには、簡易紙面作成サーバ１から端末装置２に提示される（端末装置のモニタ上に表示される）画面の画面データ等が、例えば、ＷｅｂページデータとしてＨＴＭＬ（Hyper Text Markup Language）やＸＭＬ（Extensible Markup Language）形式（画面上のどの位置に文字や画像を埋め込むかを規定している。また、画面上における各種ボタン及びアイコン等は公知のハイパーリンク機能を有するように設定されている）等で記憶されている。
【００４８】
なお、上記データベース１２ａ〜１２ｄ等は、データベースサーバに設けられ、そこで管理されるようにしてもよい。
【００４９】
通信部１３は、インターネット４を介して端末装置２との間でデータ通信を行うためのものであり、制御部１１から送信すべきデータ（信号）が入力されると、当該信号に対して予め設定されている出力インターフェース処理を実行し、当該信号をインターネット４を介して端末装置２に出力し、端末装置２からインターネット４を介して送信されたデータ（信号）に対して予め設定されている入力インターフェース処理を実行し、制御部１１に出力するようになっている。
【００５０】
次に、端末装置２には、例えば汎用のパーソナルコンピュータを適用でき、ＣＰＵ等からなる制御部、ＨＤＤ等の記憶部、キーボード，マウス等の入力部、モニタ等の表示部、及び通信部等を備えており、作成された簡易紙面等を印刷するための印刷機（プリンタ）が接続されている。また、端末装置２は、簡易紙面作成サーバ１から送信されたＷｅｂページデータ等を受信してモニタ上に表示させるＷｅｂブラウザ機能を有している。これにより、端末装置２のモニタ上には、各種画面が表示されるとともに、その画面上に上記掲載商品リスト、紙面画像及び文字等が表示されることになる。
【００５１】
［簡易紙面作成システムＳの動作］
次に、本実施形態にかかる簡易紙面作成システムＳの動作について簡易紙面作成サーバ１を主体として説明する。
【００５２】
先ず、図５を参照して簡易紙面作成サーバ１にて実行される提供サービス選択処理について説明する。
【００５３】
図５は、簡易紙面作成サーバ１の制御部１１における提供サービス選択処理を示すフローチャートである。
【００５４】
先ず、端末装置２のユーザ（例えば商品部門のある担当部署「商品部２課」のユーザ）が入力部を操作して簡易紙面作成サーバ１のＵＲＬ（Uniform Resource Locator）を指定すると、当該端末装置２がインターネット４を介して簡易紙面作成サーバ１に接続し通信回線を確立する。
【００５５】
図５の処理において、簡易紙面作成サーバ１の制御部１１は、上記接続（アクセス）に応じて、提示画面データベース１２ｄに記憶された識別情報入力画面の画面データ等を取得してインターネット４を介して端末装置２に提示する（送信して表示させる：以下同じ）（ステップＳ１）。
【００５６】
こうして端末装置２のモニタ上に識別情報入力画面（図示せず）が表示され、当該画面上には識別情報及びパスワードを入力するための識別情報入力欄及び実行ボタン等が設けられている。
【００５７】
このような表示状態において、ユーザが端末装置２のキーボードを操作して識別情報入力欄に、その担当部署「商品部２課」に固有の識別情報及びパスワードを入力し実行ボタンをマウスにより指定（クリック）すると、入力された識別情報及びパスワードがインターネット４を介して簡易紙面作成サーバ１に送信される。
【００５８】
簡易紙面作成サーバ１の制御部１１が、かかる識別情報及びパスワードを受信すると（ステップＳ２：Ｙ）、受信された識別情報及びパスワードが例えば本システムＳのユーザ登録データベース（例えば、本部の部門（担当部署含む）名と、識別情報と、パスワードとが対応付けられて登録）に記憶されているか否かを判断し（ステップＳ３）、記憶されていない場合には（ステップＳ３：Ｎ）、端末装置２のモニタ上にエラーメッセージを表示させ（ステップＳ４）、処理を終了する。
【００５９】
一方、受信された識別情報及びパスワードが登録されている場合には（ステップＳ３：Ｙ）、制御部１１は、入力された識別情報にて認識される担当部署に応じたアプリケーションプログラムの選定（提供サービスの決定）及び各種パラメータ等の設定に基づき、提示画面データベース１２ｄに記憶された提供サービス選択画面の画面データ等を取得し、インターネット４を介して端末装置２に提示する（ステップＳ５）。
【００６０】
こうして端末装置２のモニタ上に提供サービス選択画面（図示せず）が表示され、当該画面上には、掲載商品リスト作成処理アイコン及び簡易紙面作成処理アイコンが設けられている。
【００６１】
このような表示状態において、ユーザが端末装置２の例えばマウスにより所望の処理アイコンを指定（クリック）すると、制御部１１は、これを認識し（ステップＳ６：Ｙ）、選択された処理アイコンに応じた処理を実行する（ステップＳ７）。より具体的には、掲載商品リスト作成処理アイコンが選択された場合には掲載商品リスト作成処理が、簡易紙面作成処理アイコンが選択された場合には簡易紙面作成処理が、それぞれ実行されることになる。
【００６２】
次に、図６等を参照して簡易紙面作成サーバ１にて実行される掲載商品リスト作成処理について説明する。
【００６３】
図６は、簡易紙面作成サーバ１の制御部１１における掲載商品リスト作成処理を示すフローチャートである。図７は、図６のステップＳ２１に示す商品情報編集処理を示すフローチャートである。
【００６４】
図６に示す掲載商品リスト作成処理が実行されると、制御部１１は、商品データベース１２ａを参照して広告印刷物情報を取得すると共に、提示画面データベース１２ｄに記憶された広告印刷物選択画面の画面データ等を取得して、これらをインターネット４を介して端末装置２に提示する（ステップＳ１１）。
【００６５】
こうして端末装置２のモニタ上に表示された広告印刷物選択画面の一例を図８に示す。
【００６６】
図８に示すように、広告印刷物選択画面３２には、複数種類の広告印刷物情報（例えば、セール期間、セール名、広告印刷物名、広告印刷物のサイズ・種別など）が一覧（リスト）形式で表示されていると共に、各広告印刷物情報に対応して選択入力欄３２ａ、及び商品リスト作成ボタン３２ｂが設けられている。
【００６７】
このような表示状態において、ユーザが端末装置２の例えばマウスを操作して所望の広告印刷物の選択入力欄３２ａをチェック（つまり、広告印刷物情報を選択）した後、商品リスト作成ボタン３２ｂを指定（クリック）すると、制御部１１は、指定された広告印刷物情報を認識し（ステップＳ１２：Ｙ）、続いて、商品データベース１２ａを参照して選択された広告印刷物情報に対応するセール企画情報を取得すると共に、提示画面データベース１２ｄに記憶されたセール企画選択画面の画面データ等を取得して、これらをインターネット４を介して端末装置２に提示する（ステップＳ１３）。
【００６８】
こうして端末装置２のモニタ上に表示されたセール企画選択画面の一例を図９に示す。
【００６９】
図９に示すように、セール企画選択画面３３には、レイアウト位置（紙面上（表面又は裏面）におけるセール企画の位置を示す情報）、セール企画名、担当部署、商品数の情報が一覧（リスト）形式で表示されている。また、入力された識別情報に対応する担当部署「商品部２課」のセール企画名「日用品」３３ａだけが選択可能に表示されている。
【００７０】
このような表示状態において、ユーザが端末装置２の例えばマウスを操作してセール企画名「日用品」３３ａを指定（クリック）すると、制御部１１は、そのセール企画情報を認識し（ステップＳ１４：Ｙ）、続いて、商品データベース１２ａを参照して広告印刷物名、セール企画名等の情報及び当該セール企画に対応する商品情報に係る商品データを取得（未だ登録されていない場合は除く）すると共に、提示画面データベース１２ｄに記憶された掲載商品リスト作成画面の画面データ等を取得して、それらをインターネット４を介して端末装置２に提示する（ステップＳ１５）。
【００７１】
こうして端末装置２のモニタ上に表示された掲載商品リスト作成画面の一例を図１０に示す。
【００７２】
図１０に示すように、掲載商品リスト作成画面３４には、広告印刷物名、セール企画名、及び当該セール企画における商品登録状況が下部に表示されていると共に、既に登録された複数種類の商品についての商品情報（ここでは、広告印刷物における商品の位置、商品の画像、メーカ名、商品名、ＪＡＮコード、商品の仕様、商品価格（メーカ希望価格、通常価格、売価）、割引率）、商品のキャッチコピー）が一覧（リスト）形式で表示されている。更に、掲載商品リスト作成画面３４には、登録ボタン３４ａ、修正ボタン３４ｂ、及び登録終了ボタン３４ｃが表示されている。
【００７３】
ここで、掲載商品リスト作成画面３４における商品の位置欄３４１には、未だ何も表示されていない。この位置欄３４１には、簡易紙面画像の作成後、その商品情報の紙面画像上における位置（言い換えれば、上述したように、商品情報が配置された領域の紙面画像上における位置）及び商品情報（例えば商品の画像）の大きさが表示されることになる。
【００７４】
このような表示状態において、ユーザが端末装置２の例えばマウスを操作して登録ボタン３４ａを指定（クリック）すると、制御部１１は、これを認識し（ステップＳ１６：Ｙ）し、提示画面データベース１２ｄに記憶された商品情報登録画面の画面データ等を取得して、インターネット４を介して端末装置２に提示する（ステップＳ１７）。
【００７５】
こうして端末装置２のモニタ上に商品情報登録画面（図示せず）が表示され、当該画面上には上記商品情報を入力するための複数の商品情報入力欄及び登録ボタン等が設けられている。このような表示状態において、ユーザが端末装置２の入力部を操作して各商品情報入力欄に商品情報を入力（商品の画像については、例えば画像ファイル名を入力）して登録ボタンを例えばマウスにより指定（クリック）すると、入力された商品情報に係る商品データがインターネット４を介して簡易紙面作成サーバ１に送信される。
【００７６】
簡易紙面作成サーバ１の制御部１１が、かかる商品情報に係る商品データを受信すると（ステップＳ１８：Ｙ）、商品情報登録手段として機能し、商品データベース１２ａに記憶されている広告印刷物情報及びセール企画情報に対応付けて当該商品データを商品データベース１２ａに記憶（登録）する（ステップＳ１９）。再び、掲載商品リスト作成画面が端末装置２に提示される。
【００７７】
こうして端末装置２のモニタ上に表示された掲載商品リスト作成画面には、図示しないが、ステップＳ１９で登録された商品情報がリストに追加されて表示される。
【００７８】
次に、掲載商品リスト作成画面３４の表示状態において、ユーザが端末装置２の例えばマウスを操作して修正ボタン３４ｂを指定（クリック）すると、制御部１１は、これを認識し（ステップＳ２０：Ｙ）し、図７に示す商品情報編集処理に移行する（ステップＳ２１）。
【００７９】
図７に示す商品情報編集処理では、制御部１１は、上記広告印刷物名、セール企画名等の情報及び当該セール企画に対応する商品情報に係る商品データを取得すると共に、提示画面データベース１２ｄに記憶された商品情報編集画面の画面データ等を取得して、インターネット４を介して端末装置２に提示する（ステップＳ２１１）。
【００８０】
こうして端末装置２のモニタ上に表示された商品情報編集画面の一例を図１１に示す。
【００８１】
図１１に示すように、商品情報編集画面３５には、上記処理にて登録された商品情報が一覧（リスト）形式で変更可能に表示されており、登録ボタン３５ａが設けられている。
【００８２】
このような表示状態において、ユーザは、入力部を操作して、商品毎に商品情報を修正することができる。このような商品情報の修正は、上述した簡易紙面画像の作成後の方がより効果的である。例えば、商品情報である「キャッチコピー」を領域に配置した後、バランスの良いように修正する等が挙げられる。
【００８３】
ユーザが、必要に応じて、端末装置２の入力部を操作して商品情報の変更を行い登録ボタン３５ａを例えばマウスにより指定（クリック）すると、変更された商品情報に係る商品データがインターネット４を介して簡易紙面作成サーバ１に送信される。
【００８４】
簡易紙面作成サーバ１の制御部１１が、変更された商品情報に係る商品データを受信すると（ステップＳ２１２：Ｙ）、商品データベース１２ａに記憶されている該当する商品情報に係る商品データを変更（更新）する（ステップＳ２１３）。そして、制御部１１は、再び、掲載商品リスト作成画面を端末装置２に提示し（ステップＳ２１４）、図６の処理に戻る。
【００８５】
こうして端末装置２のモニタ上に表示された掲載商品リスト作成画面には、図示しないが、ステップＳ２１３にて更新された商品情報がリストに反映されて表示される。
【００８６】
そして、掲載商品リスト作成画面３４の表示状態において、ユーザが端末装置２の例えばマウスを操作して登録終了ボタン３４ｃを指定（クリック）すると、制御部１１はこれを認識し（ステップＳ２２：Ｙ）、図５に示す提供サービス選択処理に戻る（ステップＳ５に戻る）。
【００８７】
こうして、掲載商品リストが商品データベース１２ａに作成されることになる。
【００８８】
次に、図１２等を参照して簡易紙面作成サーバ１にて実行される簡易紙面作成処理について説明する。
【００８９】
図１２は、簡易紙面作成サーバ１の制御部１１における簡易紙面作成処理を示すフローチャートである。
【００９０】
なお、図１２において、ステップＳ３１からＳ３４までの処理は、図６におけるステップＳ１１からＳ１４までの処理と同様であるので説明を省略する。
【００９１】
制御部１１は、商品データベース１２ａを参照して、広告印刷物名、セール企画名等の情報及び当該セール企画に対応する商品情報に係る商品データを取得すると共に、基準紙面画像データベース１２ｂを参照し、当該広告印刷物情報に対応する紙面画像データ及び領域データを取得する。続いて、制御部１１は、提示画面データベース１２ｄに記憶された簡易紙面作成画面の画面データ等を取得し、取得した商品データ、紙面画像データ、領域データ及び画面データ等をインターネット４を介して端末装置２に提示する（ステップＳ３５）。
【００９２】
つまり、制御部１１は、商品情報表示手段として機能し当該商品データに基づいて商品情報を端末装置２のモニタ上に表示させるとともに、紙面画像表示手段として機能して紙面画像データに基づいて紙面画像を端末装置２のモニタ上に表示させる。
【００９３】
こうして端末装置２のモニタ上に表示された簡易紙面作成画面の一例を図１３に示す。
【００９４】
図１３に示すように、簡易紙面作成画面３６には、広告印刷物名及びセール企画名が上部に表示されていると共に、紙面画像表示部３６ａ、商品情報表示部３６ｂ、及び登録ボタン３６ｃが設けられている。
【００９５】
なお、図１３の例では、紙面画像表示部３６ａと商品情報表示部３６ｂとが同一画面上に設けられているが、例えば、切換可能に設けられるように構成してもよい。
【００９６】
紙面画像表示部３６ａには、上述したように複数に区分された領域が設けられた紙面画像５０が表示されている。また、紙面画像５０上において、入力された識別情報に対応するセール企画の範囲３６０が、他の部分と視覚的に識別可能に表示（例えば、ハイライト表示）されている。つまり、かかる範囲３６０内に存在する領域に対し、担当部署「商品部２課」のユーザは商品情報を配置させることができる。なお、この紙面画像５０は、ユーザが例えばマウスにより上下左右ボタン３６１〜３６４をクリックすることにより、紙面画像表示部３６ａ内で上下左右に移動するようになっている。
【００９７】
また、商品情報表示部３６ｂには、上記掲載商品リスト作成処理により登録された商品情報が商品毎に対応付けられた掲載商品リスト６０が表示されている。なお、この掲載商品リスト６０もまた、ユーザが例えばマウスにより上下左右ボタン３６５〜３６８を指定（クリック）することにより、商品情報表示部３６ｂ内で上下左右に移動するようになっている。
【００９８】
このような表示状態において、ユーザが掲載商品リスト６０の中の所望の商品についての商品情報（例えば、商品の画像）を例えばマウスにより選択しドラッグ（マウスのボタンを押し続けつつマウスを移動させる）して紙面画像５０上の所望の領域Ａにドロップ（継続して押し続けていたボタンを離して領域指定）すると、制御部１１による商品情報配置・簡易紙面画像作成処理の実行（ステップＳ３７）によって、選択された商品情報が指定された領域Ａで展開されて表示される。
【００９９】
より具体的には、ユーザが商品情報を端末装置２の例えばマウスにより選択すると、制御部１１は、これを認識し（ステップＳ３６：Ｙ）、商品情報選択受付手段として機能して当該商品情報の選択を受け付け、続いて、ユーザが当該商品情報を紙面画像５０上の所望の領域Ａにドロップして領域指定すると、制御部１１は、商品情報指定受付手段として機能して当該領域指定を受け付ける。そして、制御部１１は、上記領域データに従って、選択された商品情報を指定された領域に配置して簡易紙面画像データを作成する。つまり、制御部１１は、領域Ａに付与された領域データに含まれる各小領域と商品情報との対応付け（図４参照）に示された商品情報を、選択された商品情報の中から抽出し、抽出された商品情報を上記領域データに含まれる表示形式に従って、対応する小領域に配置して簡易紙面画像データを作成する。そして、制御部１１は、そのように作成された簡易紙面画像データを端末装置２に送信してモニタ上に表示させる。ここで送信される簡易紙面画像データは、商品情報が配置された領域部分のみの配置画像データのみであってもよい（但し、この場合、その領域の位置を示すため、その領域の領域データも送信される）。
【０１００】
なお、上記簡易紙面画像データを作成処理は、端末装置２のＷｅｂブラウザ上で動作するプログラム（例えば、ＦＬＡＳＨ，ＳＶＧ（Scalable Vector Graphics），Ｊａｖａ（登録商標）アプレット等）で行うように構成してもよい。この場合、端末装置２のＷｅｂブラウザ上では、領域Ａに付与された領域データに含まれる各小領域と商品情報との対応付けに示された商品情報を、選択された商品情報の中から抽出し、抽出された商品情報を上記領域データに含まれる表示形式に従って、対応する小領域に配置して簡易紙面画像データを作成し、モニタ上に表示させる。そして、端末装置２は、作成された簡易紙面画像データを、簡易紙面作成サーバ１に送信する。
【０１０１】
図１４は、紙面画像上における領域に商品情報が配置された後の簡易紙面作成画面の一例を示す図である。図１４に示すように、紙面画像５０上における領域Ａには商品情報が表示されている。このように、ユーザは、掲載商品リスト６０における商品情報を紙面画像５０に順次配置していくことができる（なお、簡易紙面作成画面上に配置取消しボタンを設け、かかるボタンがマウスにより指定（クリック）されることによって、当該商品情報の配置が取り消されるように構成してもよい）。但し、制御部１１は、入力された識別情報に対応するセール企画の範囲３６０内の領域へのみ配置を行うように処理する。このように、上記処理によって全ての担当部署によって、紙面画像５０上における各領域に商品情報が配置されることによって、実質的に広告印刷物の紙面と同一の簡易紙面の画像が作成されることになる。
【０１０２】
そして、ユーザが端末装置２の例えばマウスを操作して登録ボタン３６ｃを指定（クリック）すると、制御部１１は、これを認識し（ステップＳ３８：Ｙ）、上記作成された簡易紙面画像データを広告印刷物情報に対応付けて簡易紙面画像データベース１２ｃに記憶（登録）する（ステップＳ３９）。続いて、制御部１１は、位置情報記憶手段として機能し、商品情報が配置された領域の紙面画像上における位置情報を、その領域に配置された商品情報に係る商品データに対応付けて商品データベース１２ａに記憶（登録）する（ステップＳ４０）。こうして、図５に示す提供サービス選択処理に戻る（ステップＳ５に戻る）。
【０１０３】
なお、上記ステップＳ４０にて登録された位置情報によって、その後、掲載商品リスト作成処理によって掲載商品リスト作成画面又は商品情報編集画面が端末装置２のモニタ上に表示されたとき、これらの画面上における各商品の位置欄には、各商品についての商品情報の紙面画像上における位置（言い換えれば、商品情報が配置された領域の紙面画像上における位置）及び商品情報（例えば商品の画像）の大きさ（大、中、普通、小等で示される）が表示される。
【０１０４】
図１５は、簡易紙面画像作成後に端末装置２のモニタ上に表示された商品情報編集画面の一例を示す図である。図１５に示すように、商品情報編集画面３５における各商品の位置欄３５１には、各商品についての商品情報の紙面画像上における位置（例えば、領域の名称や、その領域に付与された番号等）及び商品情報の大きさが表示される。つまり、簡易紙面作成画面３６において、紙面画像５０上における領域に配置された商品情報の位置を示す情報が、掲載商品リストに反映され掲載商品リスト作成画面又は商品情報編集画面に表示されることになる。
【０１０５】
このように、商品部門における各担当部署によって紙面画像５０上における各領域に商品情報を配置していき、全ての領域への配置が終了した簡易紙面画像データ及び掲載商品リストは、簡易紙面作成サーバ１からインターネット４を介して印刷業者の端末装置３に送信される。そして、簡易紙面画像データ及び掲載商品リストは、印刷業者の端末装置３から例えばＤＴＰシステムに送られ、印刷業者は簡易紙面画像データ及び掲載商品リストを確認しながら、広告印刷物の製版を行うことになる。
【０１０６】
以上説明したように、上記実施形態によれば、流通小売業者は、端末装置２から簡易紙面作成サーバ１にアクセスし、掲載商品リストに商品情報を登録若しくは修正する段階で、端末装置２の同一画面上に掲載商品リストと紙面画像を表示させ、掲載商品リストに表示された商品情報（例えば、商品の画像）を、紙面画像上の所望の領域に例えばマウスによってドラックアンドドロップして配置し、上述した簡易紙面画像を作成、表示するように構成したので、流通小売業者は、実際の広告印刷物における紙面イメージを閲覧しながら、掲載商品リストに商品情報を登録若しくは修正することができる。従って、流通小売業者は、精度の高い掲載商品リストを作成することができる。
【０１０７】
また、紙面画像上の領域に配置された商品情報の当該紙面画像上における位置が、自動的に掲載商品リストに反映されるので、流通小売業者は、より一層効率的に精度の高い掲載商品リストを作成することができる。
【０１０８】
また、そのような精度の高い掲載商品リスト及び簡易紙面画像データが、印刷業者に送られるので、印刷業者による製版の後の校正段階での修正を少なくすることができる。
【０１０９】
更に、そのような位置情報を含んだ掲載商品リストデータが印刷業者に送られることにより、印刷業者では位置情報を活用した自動流し込み組版を行うことで、製版作業負荷を軽減させることができる。
【０１１０】
なお、上記実施形態において、簡易紙面作成処理プログラムをサーバ１にて実行させるように構成したが、これに限定されるものではなく、各端末装置にて簡易紙面作成処理プログラムを実行させ、簡易紙面画像データ及び掲載商品リストを作成するように構成してもよい。
【図面の簡単な説明】
【０１１１】
【図１】本実施形態にかかる簡易紙面作成システムのハードウェア構成の一例を示す図である。
【図２】簡易紙面作成サーバ１の概要構成を示す機能ブロック図である。
【図３】紙面画像の一例を示す図である。
【図４】領域Ａにおける商品情報の位置の例を示す図である。
【図５】簡易紙面作成サーバ１の制御部１１における提供サービス選択処理を示すフローチャートである。
【図６】簡易紙面作成サーバ１の制御部１１における掲載商品リスト作成処理を示すフローチャートである。
【図７】簡易紙面作成サーバ１の制御部１１における商品情報編集処理を示すフローチャートである。
【図８】広告印刷物選択画面の一例を示す図である。
【図９】セール企画選択画面の一例を示す図である。
【図１０】掲載商品リスト作成画面の一例を示す図である。
【図１１】商品情報編集画面の一例を示す図である。
【図１２】簡易紙面作成サーバ１の制御部１１における簡易紙面作成処理を示すフローチャートである。
【図１３】簡易紙面作成画面の一例を示す図である。
【図１４】紙面画像上における領域に商品情報が配置された後の簡易紙面作成画面の一例を示す図である。
【図１５】簡易紙面画像作成後に端末装置２のモニタ上に表示された商品情報編集画面の一例を示す図である。
【符号の説明】
【０１１２】
１  簡易紙面作成サーバ
２，３  端末装置
４  インターネット
１１  制御部
１２  記憶部
１２ａ  商品データベース
１２ｂ  基準紙面画像データベース
１２ｃ  簡易紙面画像データベース
１２ｄ  提示画面データベース
１３  通信部
Ｓ  簡易紙面作成システム
【図１】
2005092563.tif 000003
【図２】
2005092563.tif 000004
【図３】
2005092563.tif 000005
【図４】
2005092563.tif 000006
【図５】
2005092563.tif 000007
【図６】
2005092563.tif 000008
【図７】
2005092563.tif 000009
【図８】
2005092563.tif 000010
【図９】
2005092563.tif 000011
【図１０】
2005092563.tif 000012
【図１１】
2005092563.tif 000013
【図１２】
2005092563.tif 000014
【図１３】
2005092563.tif 000015
【図１４】
2005092563.tif 000016
【図１５】
2005092563.tif 000017